(57)【要約】【課題】  外気が室内温度よりも低い場合に、外気の導入に伴ってコールドドラフトが発生することを抑制すること。【解決手段】  給気装置１は、外気を屋内へと導入するための筒部７が形成される装置筐体２と、装置筐体２の屋内側前面を覆うカバー部３とを有している。カバー部３の上面には、外気を屋内へと導くための開口部２４が形成されている。カバー部３には、この開口部２４を覆う蓋体２１が開閉自在に設けられており、蓋体２１と装置筐体２との間には、開放状態において開口部２１を通過する外気の一部を上面３０ａ側へと導く空間部３１が形成されている。【選択図】  図５
2008101841.tif 000002
【特許請求の範囲】
【請求項１】
外気を屋内へと導入するための筒部が形成される装置筐体と、
該装置筐体の屋内側前面を覆うカバー部とを有し、
前記カバー部の上面に、前記外気を屋内へと導くための開口部が形成されると共に、該カバー部と前記装置筐体とにより前記筒部より前記開口部へと連通する通風空間が形成され、
前記カバー部には、前記開口部を覆う蓋体が開閉自在に設けられ、
前記蓋体の開放状態において前記蓋体と前記装置筐体との間に空間部が形成されること
を特徴とする給気装置。
【請求項２】
前記蓋体は、前記上面側中央部が房出した湾曲面材によって構成されるとともに、当該蓋体の装置筐体側縁部が左右端部に比べて中央部が凹状に形成され、
当該左右端部において前記蓋体が前記カバー部に枢支されること
を特徴とする請求項１に記載の給気装置。
【請求項３】
外気を屋内へと導入するための筒部が形成される装置筐体と、
該装置筐体の屋内側前面を覆うカバー部とを有し、
前記カバー部の前面上部には、前記外気を屋内へと導くための開口部が形成されると共に、該カバー部と前記装置筐体とにより前記筒部より前記開口部へと連通する通風空間が形成され、
前記カバー部の正面には、前記開口部の開閉を行うための蓋部が上下動可能に設けられること
を特徴とする給気装置。
【請求項４】
前記開口部を臨む前記通風空間の内壁面には、前記外気を前記開口部へと導く案内部が設けられること
を特徴とする請求項３に記載の給気装置。
【請求項５】
請求項1乃至請求項４のいずれか１項に記載の給気装置と、
前記屋内の空気を屋外へと排気する排気装置とを備え、
前記給気装置により給気された空気を前記排気装置により屋外へと排気して屋内の空気の入れ換えを行うこと
を特徴とする換気システム。
【発明の詳細な説明】
【技術分野】
【０００１】
本発明は、外気を屋内へと導入するための給気装置およびこの給気装置を用いた換気システムに関する。
【背景技術】
【０００２】
今日の住宅は、従来に比べて機密性が飛躍的に向上しているため、住宅の壁面等に給気装置や排気装置等を設けて積極的に換気を行う方法が用いられている。一般的な給気装置は、壁面に形成される外気導入用の導入孔に対して嵌入される筒状部とその筒状部の室内側端部に形成される平板部とに形成される装置筐体と、この装置筐体の室内側前面を覆うカバー部とにより構成される。
【０００３】
装置筐体の筒状部内部には、必要に応じてモータとこのモータにより回転されるプロペラファンとが設けられており、プロペラファンを回転させることによって積極的に外気を屋内に導入する構造となっている（例えば、特許文献１、特許文献２参照）。
【０００４】
住宅に対して、上述した給気装置を設置すると共に、屋内の空気を屋外へ排出する排気装置を設置することによって、積極的に屋内の空気の循環を行うことができ、快適な居住環境を提供することが可能となっている。
【特許文献１】特開平８−１２８６９０公報（第４−７頁、第１図、第２図）
【特許文献２】特開２００６−１３２８４２公報（第３−４頁、第１図、第６図）
【発明の開示】
【発明が解決しようとする課題】
【０００５】
ところで、一般的な給気装置においては、上述したカバー部が化粧部材としての役割を有している。このため、筒状部に設置されるモータやプロペラファンが屋内から見えないようにカバー部が筒状部開口正面に設置される。
【０００６】
筒状部を通って屋内へと導かれた空気は、筒状部正面にカバー部が設けられているため、カバー部裏面において左右２方向又は上下を含む多方向へと振り分けられて、壁面に沿って室内に導入されることとなる。このカバー部により、導入された外気が壁面に沿って屋内へと導かれるため、冬期等に居住者に対して冷たい外気が直接当たってしまうことを回避することができる。
【０００７】
しかしながら、冷たい空気は重いため下方に下がってくる性質を有している。このため、壁面に沿って導入された冷たい外気が室内の床面へと下がって人体に当たると冷気を感じ（いわゆるコールドドラフト）、居住者に不快感を与えてしまうおそれがあった。
【０００８】
本発明は、上記問題に鑑みてなされたものであり、外気が室内温度よりも低い場合に、外気の導入に伴ってコールドドラフトが発生することを抑制することが可能な給気装置および換気システムを提供することを課題とする。
【課題を解決するための手段】
【０００９】
上記課題を解決するために、本発明に係る給気装置は、外気を屋内へと導入するための導入孔が形成される装置筐体と、該装置筐体の屋内側前面を覆うカバー部とを有し、前記カバー部の上面に、前記外気を屋内へと導くための開口部が形成されると共に、該カバー部と前記装置筐体とにより前記筒部より前記開口部へと連通する通風空間が形成され、前記カバー部には、前記開口部を覆う蓋体が開閉自在に設けられ、前記蓋体の開放状態において前記蓋体と前記装置筐体との間に空間部が形成されることを特徴とする。
【００１０】
なお、本発明に係る給気装置とは、筒部等に外気を導入するためのモータおよびファン等を設けてファンの回転によって外気を導入するものに限定されず、モータやファン等を設けずに自然給気によって外気を導入するものをも含んでいる。
【００１１】
前記蓋体は、前記上面側中央部が房出した湾曲面材によって構成されるとともに、当該蓋体の装置筐体側縁部が左右端部に比べて中央部が凹状となる弓形状に形成され、当該左右端部において前記蓋体が前記カバー部に枢支されるものであってもよい。
【００１２】
一方で、本発明に係る給気装置は、外気を屋内へと導入するための導入孔が形成される装置筐体と、該装置筐体の屋内側前面を覆うカバー部とを有し、前記カバー部の前面上部には、前記外気を屋内へと導くための開口部が形成されると共に、該カバー部と前記装置筐体とにより前記筒部より前記開口部へと連通する通風空間が形成され、前記カバー部の正面には、前記開口部の開閉を行うための蓋部が上下動可能に設けられることを特徴とする。また、この給気装置において、前記開口部を臨む前記通風空間の内壁面に、前記外気を前記開口部へと導く案内部が設けられるものであってもよい。
【００１３】
さらに、本発明に係る換気システムは、上記給気装置と、前記屋内の空気を屋外へと排気する排気装置とを備え、前記給気装置により給気された空気を前記排気装置により屋外へと排気して屋内の空気の入れ換えを行うことを特徴とする。
【発明の効果】
【００１４】
本発明に係る給気装置では、開口部を覆う蓋体が、カバー部に対して開閉自在に設けられ、蓋体の開放状態において蓋体と装置筐体との間に空間部が形成されるので、この空間部を介して開口部を通過する空気の一部を、蓋体の上面方向へと導き、空気の流れを蓋体の上面側と下面側とに分流させることが可能となる。
【００１５】
導入された外気を蓋体の上面側と下面側とで分流することによって、外気を斜め上方方向に広がるようにして屋内へ拡散させることができ、拡散された外気が天井側の暖かい空気と混じり合って暖められて居住内に入り込むこととなるので、外気の温度（冷温）を居住者が直接体感してしまうことを抑制することが可能となる。
【００１６】
特に、蓋体の装置筐体側縁部が、左右端部に比べて中央部が凹状に形成される場合には、左右端部を基準として蓋体の下部には、凹状の切欠部が形成されているものと判断すること。このため、左右端部において蓋部がカバー部に枢支されることによって蓋体が開放された場合に、蓋体の切欠部を通じて開口部を通過する外気の一部が蓋体の上面へと導かれやすくなるので、上述した効果をより顕著に奏することが可能となる。
【００１７】
また、蓋体が、上面側中央部が房出した湾曲面材によって構成されるので、開口部において外気の流入量が多くなる中央部近傍では、蓋体の中央部の湾曲によって外気がより上方へと分散させやすくなり、外気の流入量が少なくなる左右縁部寄りの部分では、外気がより側方上方向へと拡散させやすくなる。このため、開口部を通過する外気を、蓋体によって室内に広く拡散させることが可能となり、室内における温度ムラを低減させることが可能となる。
【００１８】
さらに、蓋体がカバー部に開閉自在に設けられるため、蓋体を閉じて開口部を閉塞することによって、外気の導入を防止することができ、不要な外気の流入による居住者の不快感を低減させることが可能となる。
【００１９】
一方で、本発明に係る給気装置では、カバー部の上部に外気を屋内へと導くための開口部が形成されると共に、カバー部の正面に開口部の開閉を行うための蓋部が上下動可能に設けられるので、通風空間を通った空気がカバー部の上部の開口部へと導かれて給気装置の上方へと排出される。このため、外気が屋内の上方へと導かれることになるので、天井側の暖かい空気と混じり合って外気が暖められて居住内に入り込むこととなり、外気の温度（冷温）を居住者が直接体感してしまうことを抑制することが可能となる。
【００２０】
特に、開口部を臨む通風空間の内壁面に外気を開口部へと導く案内部が設けられる場合には、外気が案内部によって斜め上方向へと案内されやすくなり、斜め上方方向へと案内された外気が、室内の上方に対して広く分散されることとなる。このため、拡散された外気が天井側の暖かい空気と混じり合って暖められることとなり、居住者が外気の温度を直接体感してしまうことを抑制することが可能となる。
【００２１】
また、案内部を設けることによって、開口部を通過する外気を広く拡散させることが可能となるので、室内における温度ムラを低減させることが可能となる。
【００２２】
さらに、蓋部が、カバー部の正面に対して上下動可能に設けられるので、蓋部をスライドさせて開口部を閉塞することによって、通風空間を閉じて外気の導入を防止することができ、不要な外気の流入による居住者の不快感を低減させることが可能となる。
【００２３】
さらに、本発明に係る換気システムでは、上述した給気装置を屋内用の換気システムとして用いることによって、居住者にコールドドラフトを感じさせることなく効率的に屋内の換気を行うことが可能となる。
【発明を実施するための最良の形態】
【００２４】
以下、本発明に係る給気装置を、図面を用いて詳細に説明する。
【実施例１】
【００２５】
図１は、実施例１に係る給気装置の概略構成を示した側面図である。給気装置１は、装置筐体２と、カバー部３と、モータ４と、プロペラファン５とを有している。
【００２６】
装置筐体２は、建物等の壁面６に形成される外気導入用の導通孔６ａに嵌入される筒状部（筒部）７と、中央に筒状部７の開口に対応する開口部８ａが形成され、この開口部８ａの周縁が筒状部７の屋内側端部に連結される平板部８とにより構成される。筒状部７は、壁面６の導通孔６ａ形状が円形となるため、一般的に円筒状を呈することとなるが、筒状部７の開口形状は、必ずしも円形に限定されるものではない。
【００２７】
平板部８の外周縁部には、壁面６側へ立設されるリブ８ｂが形成されており、このリブ８ｂと平板部８の前面板８ｃとにより形成される空間に、モータ駆動用の電源装置（例えば電池ボックス等）１０が設置されている。
【００２８】
筒状部７の内部には、モータ４を支持するための脚部１１が数箇所（例えば３箇所程度）設けられており、この脚部１１を介してモータ４を固定することによって、モータ４と筒状部７の内壁との間に外気導入用の空間が確保される構造となっている。
【００２９】
プロペラファン５は、モータ４の回転軸４ａに固定されており、図示を省略したスイッチをＯＮすることによって、モータ駆動用の電源装置１０からモータ４に対して電力が供給されてプロペラファン５が回転し、屋外の空気が室内へと導入される。
【００３０】
カバー部３は、図２に示すように、平板部８のリブ８ｂに係止して装置筐体２に係合される枠体部１４と、枠体部１４の前面を覆うようにして設置されるパネル部材１５とを有している。
【００３１】
枠体部１４の内部には、フィルタ１６を固定するための内枠部１７と固定部材１８とが設けられている。フィルタ１６は、内枠部１７の裏面（壁面６側の面）に当接するようにして枠体部１４に配置されており、固定部材１８は、配置されたフィルタ１６を裏面側より支持するようにして枠体部１４に取り付けられる。
【００３２】
フィルタ１６を枠体部１４に設置することによって、外気に含まれる塵埃や虫灯を除去・濾過することができ、きれいな空気を屋内へ導入することが可能となる。
【００３３】
また、内枠部１７の前面には、パネル部材１５を固定するための固定孔１９が数箇所設けられている（図２においては下側の内枠部１７に３箇所しか示されていないが、上部にも同様に３箇所設置されている）。
【００３４】
パネル部材１５は、フィルタ１６を正面方向より覆う断面コ字状の正面パネル２０と、正面パネル２０の上面に開閉可能に設けられる蓋体２１とを有している。
【００３５】
正面パネル２０は、中央部が左右端部より前面側に房出し、さらに下部から上部に向かって前方へと傾斜した湾曲面によって構成されている。
【００３６】
正面パネル２０の裏面には、突起部２２が複数設けられており、この突起部２２を枠体部１４の内枠部１７前面に設けられた固定孔１９に係止させることによって、正面パネル２０が枠体部１４に固定される構造となっている。
【００３７】
なお、装置筐体２の筒状部７・平板部８とカバー部３の枠体部１４・正面パネル２０とにより形成される空間によって、屋外から屋内へと連通した通路が形成され、この通路によって外気を案内するための通風空間２３が形成されることとなる。
【００３８】
正面パネル２０を枠体部１４に固定させた場合には、図４、図５に示すように、上面に略弓状（円弧状）の開口部２４が形成される。蓋体２１は、この開口部２４を開閉するために用いられる部材であり、この開口形状に対応する形状を有している。
【００３９】
具体的に、蓋体２１は、図３（ａ）に示すように、略弓状（円弧状）を呈する湾曲面材によって構成されており、下縁部２１ａは、左右下端部２１ｂに比べて中央部２１ｃが凹状となる弓形状縁部によって構成されている。従って、左右下端部２１ｂを基準として蓋体２１を観察すると、蓋体２１の下部には、符号２５に示すような半月状の切欠部が形成されているものと判断することができる。
【００４０】
なお、この蓋体２１の左右下端部２１ｂには、側方へと伸びる軸部２６が形成されている。また、蓋体２１は、図３（ｂ）（ｃ）に示すように、中央部が左右端部に比べて房出した弓形状の湾曲面材によって構成されている。
【００４１】
正面パネル２０の左右側壁面の上部には、蓋体２１の軸部２６を嵌入させるための軸孔２７が形成されている。蓋体２１の軸部２６をこの軸孔２７に挿入させることによって、蓋体２１を開閉可能に設置することが可能となり、この蓋体２１によって開口部２４の開放・閉塞が行われることとなる。
【００４２】
また、正面パネル２０の裏面側上部であって、蓋体２１が設置される開口部２４近傍には、図１、図４に示すように、イオン発生ユニット２８が設けられている。イオン発生ユニット２８は、浮遊細菌やウィルスの分解・除去作業等を行うためのプラズマ放電を発生させる装置である。
【００４３】
プラズマ放電が起こると、水蒸気がイオン化されて正イオンと負イオンとがほぼ同量発生する。正イオンは、水素イオン（Ｈ＋）の周囲に複数の水分子が付着したクラスターイオンであり、Ｈ＋（Ｈ２Ｏ）ｍ（ｍは自然数）として表される。負イオンは、酸素イオン（Ｏ２−）の周囲に複数の水分子が付着したクラスターイオンであり、Ｏ２−（Ｈ２Ｏ）ｎ（ｎは自然数）として表される。プロペラファン５の回転によって外気が導入されると、正イオンおよび負イオンが空気中に放出され、過酸化水素Ｈ２Ｏ２又は水酸基ラジカル・ＯＨとなって、室内浮遊物（ウィルスや細菌等）に凝集して除去し、浮遊細菌を除去する。このため、イオン発生ユニット２８を駆動させることによって、屋外より導入された外気と共に屋内へ正イオンおよび負イオンが運ばれることとなり、室内の空気が清浄化されることとなる。
【００４４】
図４および図５は、蓋体２１を約４５度程度開放させ、モータ４を駆動させてプロペラファン５を回転させた状態を示している。
【００４５】
プロペラファン５が回転されると、ファンの回転に伴って屋外の空気が筒状部７を介して通風空間２３へと流れ込み、フィルタ１６によって濾過された後に、正面パネル２０に沿って、上面の開口部２４方向へと導かれる。開口部２４方向へと導かれた空気は、イオン発生ユニット２８によって正イオンと負イオンとを多く含んだ状態となって開口部２４を通過する。
【００４６】
このとき、開口部２４に設けられた蓋体２１は、左右下端部２１ｂに比べて中央部２１ｃの下縁部２１ａが凹状となる弓形状縁部によって構成されて、蓋体２１の下部に半月状の切欠部２５が形成された状態となるため、蓋体２１が開放状態のときにこの切欠部２５によって蓋体２１と装置筐体２との間に形成された空間部３１を介して、開口部２４を通過する空気の一部が蓋体２１の上面３０ａ方向へと導かれ、空気の流れが蓋体２１の上面３０ａ側と下面３０ｂ側とに分流されることとなる。
【００４７】
蓋体２１の上面３０ａ側と下面３０ｂ側とに分流された空気は、蓋体２１の分流作用によって、図５に示すように、斜め上方方向へと広がるようにして拡散されることとなり、外気が室内に広く分散されることとなる（図５の矢印参照）。このように外気が屋内の上方へと広く分散された場合、一般に屋内の空気は天井側の方が床側よりも温度が高くなる傾向があるため、拡散された外気が天井側の暖かい空気と混じり合って暖められる。このため、拡散された外気は、十分に暖められて居住内に入り込むこととなるため、外気の温度を直接体感してしまうことを抑制することが可能となる。
【００４８】
また、蓋体２１は、図３（ａ）〜（ｃ）に示すように、湾曲面材によって構成され、断面形状においても図３（ｂ）に示すように中央部が左右端部に比べて房出する弓形状断面によって形成されているので、開口部２４において外気の流入量が多くなる中央部近傍では、蓋体２１の中央部の湾曲によって外気がより上方へと分散されやすくなり（例えば、図５の矢印Ａ）、外気の流入量が少なくなる左右縁部寄りの部分では、外気がより側方上方向へと拡散されやすくなる（例えば、図５の矢印Ｂ）。このため、開口部２４を通過する外気を、蓋体２１によって室内に広く拡散させることが可能となり、室内における温度ムラを低減させることが可能となる。
【００４９】
さらに、蓋体２１を閉じて開口部２４を閉塞することによって、外気の導入を防止することができるので、不要な外気の流入による居住者の不快感を低減させることが可能となる。
【実施例２】
【００５０】
次に、他の構成に基づく給気装置を、実施例２として図面を用いて説明する。なお、実施例１において説明した構成と同一部分については同一符号を附すものとし、その詳細な説明は省略するものとする。
【００５１】
図６は、実施例２に係る給気装置４０の概略構成を示した側面図である。給気装置４０は、装置筐体２と、カバー部４１と、モータ４と、プロペラファン５とを有している。
【００５２】
装置筐体２は、建物等の壁面６に形成される導通孔６ａに嵌入される筒状部７と、中央に筒状部７の開口に対応する開口部８ａが形成され、この開口部８ａの周縁が筒状部７の屋内側端部に連結される平板部８とにより構成される。
【００５３】
平板部８の外周縁部には、壁面６側へ立設されるリブ８ｂが形成されており、このリブ８ｂと平板部８の前面板８ｃとにより形成される空間に、モータ駆動用の電源装置１０が設置されている。
【００５４】
筒状部７の内部には、モータ４を支持するための脚部１１が数箇所けられており、この脚部１１を介してモータ４を固定することによって、モータ４と筒状部７の内壁との間に外気導入用の空間が確保される構造となっている。
【００５５】
プロペラファン５は、モータ４の回転軸４ａに固定されており、図示を省略したスイッチをＯＮすることによってモータ駆動用の電源装置１０よりモータ４に対して電力が供給されてプロペラファン５が回転し、屋外の空気が室内へと導入される。
【００５６】
カバー部４１は、図７に示すように、平板部８のリブ８ｂに係止して装置筐体２に係合される枠体部４２と、枠体部４２の前面を覆うようにして設置されるパネル部材（蓋部）４３とを有している。
【００５７】
枠体部４２の内部には、フィルタ１６を固定するための内枠部４４と固定部材１８とが設けられている。内枠部４４は、左右に立設される左右柱部４４ａと、左右柱部４４ａを上端部において架設するようにして設けられる上柱部４４ｂと、左右柱部４４ａの下端部を結ぶようにして設けられる下柱部４４ｃとにより構成されている。フィルタ１６は、内枠部４４の裏面側より設置されることによって、フィルタ１６の前面隅部が内枠部４４の裏面に当接された状態となる。この状態においてフィルタ１６の裏面側より固定部材１８を取り付けることによって、フィルタ１６が内枠部４４と固定部材１８に挟持され、固定される構造となっている。
【００５８】
左右柱部４４ａの外側面には、図７に示すように、溝４５が上下方向に設けられ、また、下柱部４４ｃの前面には、断面Ｌ字状の化粧板部４６が形成されている。さらに、上柱部４４ｂの正面側には、前面が約４５度に傾斜し、左右端部に比べて中央部が房出した円弧状の湾曲面によって形成される傾斜面部（案内部）４７が形成されている。
【００５９】
パネル部材４３は、断面コ字状を呈し、正面中央部が左右端部より前面側に房出すると共に下部から上部に向かって傾斜した湾曲面によって構成されている。パネル部材４３の高さｈ１は、枠体部４２の高さｈ２より低く（短く）規定されており、さらに、パネル部材４３の左右側壁の内側には、帯状凸部４９が形成されている。このため、パネル部材４３の帯状凸部４９を左右柱部４４ａの溝４５に嵌め込むことによって、パネル部材４３を枠体部４２正面において上下にスライドさせることが可能となっている。
【００６０】
装置筐体２の筒状部７・平板部８とカバー部４１の枠体部４２・パネル部材４３とにより形成される空間によって、屋外から屋内への連通した通路が形成され、この通路によって外気を案内するための通風空間５０が形成される。
【００６１】
図８（ａ）は、枠体部４２に対してパネル部材４３を上方へとスライドさせた状態を示しており、図８（ｂ）は、枠体部４２に対してパネル部材４３を下方へとスライドさせた状態を示している。図８（ａ）に示すように、パネル部材４３を上方へとスライドさせた場合には、パネル部材４３によって枠体部４２の正面開口が覆われることとなり、さらに、枠体部４２の下部に化粧板部４６が設けられているので、パネル部材４３と化粧板部４６とにより外気が屋内へと入り込むことを阻止することができ、また、給気装置４０の意匠性を確保することが可能となる。
【００６２】
一方で、図８（ｂ）に示すように、パネル部材４３を下方へとスライドさせた場合には、枠体部４２の上方に開口部５１が確保されるので、通風空間５０を通過する外気を、開口部５１を介して室内へと案内することが可能となる。
【００６３】
また、枠体部４２の傾斜面部４７には、イオン発生ユニット２８が設けられている。イオン発生ユニットは、浮遊細菌やウィルスの分解・除去作業、カビの発生の抑制作業等を行うためのプラズマ放電を発生させる装置である。イオン発生ユニット２８を駆動させることによって、屋外より導入された外気と共に屋内へ正イオンおよび負イオンが運ばれ、室内の空気の清浄化が行われる。
【００６４】
図９および図１０は、パネル部材４３を下方に移動させ、モータ４を駆動させてプロペラファン５を回転させた状態を示している。
【００６５】
プロペラファン５が回転されると、ファンの回転に伴って屋外の空気が筒状部７を介して通風空間５０へと流れ込み、フィルタ１６によって濾過された後に、パネル部材４３に沿って、上方の開口部５１方向へと導かれる。開口部５１へと導かれた空気は、イオン発生ユニット２８によって正イオンと負イオンとを多く含んだ状態となって、開口部５１を通過することとなる。
【００６６】
このとき、開口部５１に対向する位置に設けられた傾斜面部４７は、傾斜面が約４５度に傾斜した状態となっているので、パネル部材４３の裏面に沿って上方へと導かれる外気がこの傾斜面によって斜め上方向へと案内されて、屋内に排出されることとなる。この場合においても、実施例１と同様に、傾斜面部４７によって斜め上方方向へと案内された外気が、室内の上方に対して広く分散されることとなるため、拡散された外気が天井側の暖かい空気と混じり合って暖められることとなり、居住者が外気の温度を直接体感してしまうことを抑制することが可能となる。
【００６７】
また、傾斜面部４７は、左右端部に比べて中央部が房出する円弧状の湾曲面によって形成されているので、図１０に示すように、開口部５１において外気の流入量が多くなる中央部近傍では、傾斜面部４７の中央部の房出した湾曲面によって外気がより上方へと分散されやすくなり（例えば、図１０の矢印Ｃ）、外気の流入量が少なくなる左右縁部寄りの部分では、外気がより側方上方向へと拡散されやすくなる（例えば、図１０の矢印Ｄ）。このため、開口部５１を通過する外気を、傾斜面部４７によって広く拡散させることが可能となり、室内における温度ムラを低減させることが可能となる。
【００６８】
また、パネル部材４３を上方へとスライドさせて開口部５１を閉塞することによって、通風空間５０を閉じて外気の導入を防止することができるので、不要な外気の流入による居住者の不快感を低減させることが可能となる。
【実施例３】
【００６９】
次に、上述した実施例１または実施例２に係る給気装置を用いた換気システムについて説明する。
【００７０】
図１１は、上述した給気装置６０（給気装置６０は、実施例１に示す給気装置１又は実施例２に示す給気装置４０のいずれかを表す）を、建物６１に取り付けて２４時間換気を実施可能とした換気システム６２を示している。換気システム６２では、一階の居間Ｒ１の壁上部に給気装置６０が取り付けられており、一階のトイレＲ２、洗面所Ｒ３、浴室Ｒ４等の壁上部に排気装置６３が取り付けられている。また、二階の居室Ｒ５、Ｒ６の壁上部に給気装置６０が取り付けられており、二階の廊下Ｒ７やトイレＲ８の壁上部には、排気装置６３が取り付けられている。
【００７１】
なお、図１１に示す排気装置６３は、プロペラファン５とモータ４とが設けられる一般的な排気装置を意味しており、公知の技術であるためここでの詳細な説明は省略するものとする。
【００７２】
一階において給気装置６０から居間Ｒ１に導入された（給気された）外気は、ドア下部に設けられたアンダーカット部６６Ｕやガラリ部６６Ｄを通して、トイレＲ２、洗面所Ｒ３、浴室Ｒ４に導かれ、排気装置６３によって屋外に排気される。また、二階において給気装置６０から居室Ｒ５、Ｒ６に導入された外気は、居室Ｒ５のドア下部に設けられたアンダーカット部６６Ｕを通して廊下Ｒ７へと導かれ、廊下Ｒ７の排気装置６３によって屋外に排気される。
【００７３】
一方で、居室Ｒ６の給気装置６０によって導入された外気はアンダーカット部６６Ｕを通して、廊下Ｒ７の排気装置６３によって屋外に排気されると共に、アンダーカット部６６Ｕを通してトイレＲ８へと導かれ、トイレＲ８の排気装置６３によって屋外に排気される。
【００７４】
この建物６１では、給気装置６０と排気装置６３とによって、一階と二階との換気システム６２がそれぞれ独立した構成となっており、一階と二階との換気システム６２によって住宅全体の換気対象部分が所定換気回数（例えば０．５回／時間）換気されるように、給気装置および排気装置による連続的又は断続的な換気が行われる。
【００７５】
換気システム６２において給気装置６０を用いることによって、給気装置６０により給気される外気を斜め上方方向に広がるようにして屋内へ拡散させることができるので、拡散された外気が天井側の暖かい空気と混じり合って暖められて居住内に入り込むこととなり、外気の温度（冷温）を居住者が直接体感してしまうことを抑制することが可能となる。また、給気装置６０を用いることによって、導入された外気を室内に広く拡散させることが可能となり、室内における温度ムラを低減させることが可能となる。
【００７６】
また、給気装置６０には、上述したようにイオン発生ユニット２８が設けられているので、建物６１の室内全体の空気について、粉塵等の除去のみならず、浮遊細菌の除去によりカビの発生の抑制等を行うことができ、建物内の空気全体の清浄化を図ることが可能となる。
【００７７】
以上説明したように実施例１に示した給気装置１では、蓋体２１が、左右下端部２１ｂに比べて中央部２１ｃの下縁部２１ａが凹状となる弓形状縁部によって構成されて、蓋体２１の下部に半月状の切欠部２５が形成された状態となるため、この切欠部２５を介して開口部２４を通過する空気の一部を、蓋体２１の上面３０ａ方向へと導き、空気の流れを蓋体２１の上面３０ａ側と下面３０ｂ側とに分流させることが可能となる。
【００７８】
このように、導入された外気を蓋体２１の上面３０ａ側と下面３０ｂ側とで分流することによって、図５に示すように、外気を斜め上方方向に広がるようにして屋内へ拡散させることができ、外気が室内に広く分散されることとなる。外気が屋内の上方へと広く分散された場合、一般に屋内の空気は天井側の方が床側よりも温度が高くなる傾向があるため、拡散された外気が天井側の暖かい空気と混じり合って暖められて居住内に入り込むこととなり、外気の温度（冷温）を居住者が直接体感してしまうことを抑制することが可能となる。
【００７９】
また、蓋体２１が、湾曲面材によって構成され、断面形状においても中央部が左右端部に比べて房出する弓形状断面によって形成されているので、開口部２４において外気の流入量が多くなる中央部近傍では、蓋体２１の中央部の湾曲によって外気がより上方へと分散されやすくなり（例えば、図５の矢印Ａ）、外気の流入量が少なくなる左右縁部寄りの部分では、外気がより側方上方向へと拡散されやすくなる（例えば、図５の矢印Ｂ）。このため、開口部２４を通過する外気を、蓋体２１によって室内に広く拡散させることが可能となり、室内における温度ムラを低減させることが可能となる。
【００８０】
さらに、蓋体２１を閉じて開口部２４を閉塞することによって、外気の導入を防止することができるので、不要な外気の流入による居住者の不快感を低減させることが可能となる。
【００８１】
一方で、実施例２に示した給気装置１では、開口部５１に対向する位置に設けられた傾斜面部４７の傾斜面が、約４５度に傾斜した状態となっているので、パネル部材４３の裏面に沿って上方へと導かれる外気が傾斜面によって斜め上方向へと案内されて、屋内に排出されることとなる。
【００８２】
この場合においても、実施例１と同様に、傾斜面部４７によって斜め上方方向へと案内された外気が、室内の上方に対して広く分散されることとなるため、拡散された外気が天井側の暖かい空気と混じり合って暖められることとなり、居住者が外気の温度を直接体感してしまうことを抑制することが可能となる。
【００８３】
また、傾斜面部４７が、左右端部に比べて中央部が房出する円弧状の湾曲面によって形成されているので、図１０に示すように、開口部５１において外気の流入量が多くなる中央部近傍では、傾斜面部４７の中央部の房出した湾曲面によって外気がより上方へと分散されやすくなり（例えば、図１０の矢印Ｃ）、外気の流入量が少なくなる左右縁部寄りの部分では、外気がより側方上方向へと拡散されやすくなる（例えば、図１０の矢印Ｄ）。このため、開口部５１を通過する外気を、傾斜面部４７によって広く拡散させることが可能となり、室内における温度ムラを低減させることが可能となる。
【００８４】
また、パネル部材４３を上方へとスライドさせて開口部５１を閉塞することによって、通風空間５０を閉じて外気の導入を防止することができるので、不要な外気の流入による居住者の不快感を低減させることが可能となる。
【００８５】
さらに、実施例１および実施例２に示した給気装置には、通風通路を形成する風路の内壁にイオン発生ユニット２８が設けられているので、フィルタ１６によって粉塵等の除去が行われるだけでなく、イオン発生ユニット２８によって浮遊細菌の除去によるカビの発生の抑制等を行うことができ、建物６１内の空気全体の清浄化を図ることが可能となる。
【００８６】
さらに、実施例３に示した換気システムでは、実施例１または実施例２に示した給気装置６０を屋内用の換気システム６２に用いることによって、居住者にコールドドラフトを感じさせることなく屋内の換気を効率的に行うことが可能となる。
【００８７】
以上、本発明に係る給気装置および換気システムを、図面を用いて詳細に説明したが、本発明に係る給気装置および換気システムは上述した実施形態に限定されるものではない。いわゆる当業者であれば、特許請求の範囲に記載された範疇内において各種の変更例または修正例に想到し得ることは明らかであり、それらについても当然に本発明の技術的範囲に属するものと了解される。
【００８８】
例えば、上述した実施例１および実施例２では、給気装置１、４０においてモータ４およびプロペラファン５を備えた構成を説明したが、モータ４およびプロペラファン５は必ずしも必要ではなく、モータ４等が設けられていない給気装置を用いる場合であっても、実施例１〜３において説明した効果と同様の効果を奏することが可能である。
【００８９】
また、実施例３に示した換気システム６２では、給気装置６０と排気装置６３とを設置した構成を示したが、給気装置のみで外気導入を行い、排気装置６３を設けずに自然に屋内空気の排気を行う構成としてもよい。
【００９０】
さらに、より多くの給気装置を建物に設置して、建物の戸口のアンダーカット部等を通して空気の流路を積極的に形成する構成とすることも可能である。建物の戸口のアンダーカット等を通して空気の流路を積極的に形成することによって、室内の美観に関し居住者に与え得る違和感を低減させることが可能となる。
【００９１】
さらに、実施例３に示した換気システム６２では、実施例１および実施例２において説明した給気装置６０を戸建住宅に用いた例を示して説明を行ったが、本発明に係る換気システムは戸建住宅だけに限定して用いられるものではなく、マンションのような集合住宅に設置することも可能である。
【図面の簡単な説明】
【００９２】
【図１】実施例１に示す給気装置の概略構成を示した側方断面図である。
【図２】実施例１に係る給気装置のカバー部を示した展開斜視図である。
【図３】実施例１に係る給気装置の蓋体を示した図であり、（ａ）は裏面側より示した斜視図、（ｂ）は（ａ）のＡ−Ａ断面を矢印方向より示した断面図、（ｃ）は（ａ）のＢ−Ｂ断面を矢印方向より示した断面図を示している。
【図４】実施例１に係る給気装置において蓋体を開放させた状態で導入された外気の流れを示した側方断面図である。
【図５】実施例１に係る給気装置において蓋体を開放させた状態で導入された外気の流れを示した斜視図である。
【図６】実施例２に示す給気装置の概略構成を示した側方断面図である。
【図７】実施例２に係る給気装置のカバー部を示した展開斜視図である。
【図８】実施例２に係る給気装置のカバー部を示した側面図であり、（ａ）はパネル部材が上方にスライドした状態を示し、（ｂ）はパネル部材が下方にスライドした状態を示している。
【図９】実施例２に係る給気装置においてパネル部材を下方にスライドさせた状態で導入された外気の流れを示した側方断面図である。
【図１０】実施例２に係る給気装置においてパネル部材を下方にスライドさせた状態で導入された外気の流れを示した斜視図である。
【図１１】実施例１または実施例２のいずれかの給気装置を用いた換気システムが設置された建物を示した説明図である。
【符号の説明】
【００９３】
１、４０、６０     …給気装置
２     …装置筐体
３、４１     …カバー部
４     …モータ
４ａ   …（モータの）回転軸
５     …プロペラファン
６     …壁面
６ａ   …（壁面の）導通孔
７     …筒状部（筒部）
８     …平板部
８ａ、２４、５１   …開口部
８ｂ   …リブ
８ｃ   …（平板部の）前面板
１０   …電源装置
１１   …脚部
１４、４２   …枠体部
１５、４３   …パネル部材
１６   …フィルタ
１７、４４   …内枠部
１８   …固定部材
１９   …（内枠部の）固定孔
２０   …正面パネル
２１   …蓋体
２１ａ  …（蓋体の）下縁部
２１ｂ  …（蓋体の）左右下端部
２１ｃ  …（蓋体の）中央部
２２   …（パネル部材の）突起部
２３、５０   …通風空間
２５   …（蓋体の）切欠部
２６   …（蓋体の）軸部
２７   …（正面パネルの）軸孔
２８   …イオン発生ユニット
３０ａ  …（蓋体の）上面
３０ｂ  …（蓋体の）下面
３１    …空間部
４４ａ  …左右柱部
４４ｂ  …上柱部
４４ｃ  …下柱部
４５   …（左右柱部の）溝
４６   …化粧板部
４７   …傾斜面部
４９   …（パネル部材の）帯状凸部
６１   …建物
６２   …換気システム
６３   …排気装置
６６Ｄ  …ガラリ部
６６Ｕ  …アンダーカット部
Ｒ１   …居間
Ｒ２、Ｒ８   …トイレ
Ｒ３   …洗面所
Ｒ４   …浴室
Ｒ５、Ｒ６   …居室
Ｒ７   …廊下
【図１】
2008101841.tif 000003
【図２】
2008101841.tif 000004
【図３】
2008101841.tif 000005
【図４】
2008101841.tif 000006
【図５】
2008101841.tif 000007
【図６】
2008101841.tif 000008
【図７】
2008101841.tif 000009
【図８】
2008101841.tif 000010
【図９】
2008101841.tif 000011
【図１０】
2008101841.tif 000012
【図１１】
2008101841.tif 000013